【手続補正書】
【提出日】平成20年1月31日(2008.1.31)
【手続補正１】
【補正対象書類名】明細書
【補正対象項目名】特許請求の範囲
【補正方法】変更
【補正の内容】
【特許請求の範囲】
【請求項１】
第１のエンティティによるデータ通信の開始の前に層あるいはプロトコルを設定する方法であって、
第１のエンティティで、交渉すべき１あるいはそれ以上の層と１あるいはそれ以上のプロトコルとの組を選択するステップであって、ここで各々の選択層及びプロトコルが、第１のエンティティ及び第２のエンティティの間の交渉されるべき属性に対応する、ステップと、
各々の属性に対して、第１のエンティティに対して承認され得ると考えられる１あるいはそれ以上の属性値を含む選択属性値のリストを決定するステップと、
選択属性のリストとその関連づけられた選択属性値のリストとを第１のエンティティから送信するステップと、
処理属性のリストとその関連づけられた処理属性値のリストとを第１のエンティティで受信するステップであって、ここで処理属性値のリストの各々は第２のエンティティに対して承認可能と考えられる１あるいはそれ以上の属性値を有する、ステップと、
受信された処理属性のリスト及びその関連づけられた処理属性値のリストに従って、第１のエンティティにおける１あるいはそれ以上の層及び１あるいはそれ以上のプロトコルの選択された組を設定するステップと
を含む方法。
【請求項２】
選択属性値の各々のリストにおける要素は第１のエンティティの嗜好に基づいて順に設定されてなる請求項１に記載の方法。
【請求項３】
各々の処理属性値は１の処理属性値に関連づけられる請求項１に記載の方法。
【請求項４】
第１のエンティティにおける前記層及びプロトコルは、対応する処理属性値が第１のエンティティで受信されない場合に、そのデフォルト値とともに設定される請求項１に記載の方法。
【請求項５】
前記送信及び受信は専用通信チャネルを介して実行される請求項１に記載の方法。
【請求項６】
第１のエンティティあるいは第２のエンティティ、あるいはその双方は、
セッション交渉の前に不活性であることを示す不活性状態と、
選択属性のリストでのセッション交渉を示す初期状態と、
第１のエンティティ及び第２のエンティティの間の活性通信を示すオープン状態と
を含む複数の状態を有するステートマシンを実施する請求項１に記載の方法。
【請求項７】
前記初期状態は、
第１のエンティティにより選択された属性でのセッション交渉を示すアクセス端末初期状態と、
第２のエンティティにより選択された属性でのセッション交渉を示す無線ネットワーク初期状態と
を有する請求項６に記載の方法。
【請求項８】
前記選択属性のリスト及びその関連づけられた選択属性値のリストは、第１のエンティティから１あるいはそれ以上の設定要求メッセージを介して送信される請求項１に記載の方法。
【請求項９】
前記処理属性値及びその関連づけられた処理属性値のリストの組は、第１のエンティティで１あるいはそれ以上の設定応答メッセージを介して受信される請求項１に記載の方法。
【請求項１０】
前記処理属性値及びその関連づけられた処理属性値のリストは、前記選択属性及びその関連づけられた選択属性値のリストの順序に対応する順序で受信される請求項１に記載の方法。
【請求項１１】
第１のエンティティ及び第２のエンティティの間の通信は、第１のエンティティにおける１あるいはそれ以上の層及び１あるいはそれ以上のプロトコルの前記選択された組の設定の完了の前に、デフォルト層及びプロトコルを介して発生する請求項１に記載の方法。
【請求項１２】
前記方法は、
第１のエンティティでエンティティ識別子を受信するステップをさらに含み、
第１のエンティティから送信される二次メッセージは、前記エンティティ識別子により識別される請求項１に記載の方法。
【請求項１３】
第１のエンティティ及び第２のエンティティはそれぞれ交渉されるべき属性の組を選択し、第１のエンティティにより選択された属性の組の交渉は、第２のエンティティにより選択された属性の組の交渉の前に完了する請求項１に記載の方法。
【請求項１４】
第１のエンティティはアクセス端末である請求項１に記載の方法。
【請求項１５】
第２のエンティティは無線ネットワークである請求項１に記載の方法。
【請求項１６】
前記請求項１に記載の方法を実施するために構成されたスペクトラム拡散通信システムにおけるアクセス端末。
【請求項１７】
第１のエンティティから、通信セッションをオープンする要求を示すオープン要求メッセージを送信するステップと、
第１のエンティティで、前記通信セッションをオープンする要求の承認あるいは拒絶を示すオープン応答メッセージを受信するステップと
をさらに含む請求項１に記載の方法。
【請求項１８】
前記オープン要求メッセージ及びオープン応答メッセージは、共通通信チャネルを介して送信及び受信される請求項１７に記載の方法。
【請求項１９】
通信システムで設定可能層あるいはプロトコル、あるいはそれらの双方を提供する方法であって、
第２のエンティティと通信するために第１のエンティティで利用されるデフォルト層及びプロトコルの組を維持するステップと、
１あるいはそれ以上の設定可能層及び１あるいはそれ以上の設定可能プロトコルの組、あるいはそれらの組合せを維持するステップであって、ここで各々の設定可能層及びプロトコルは、第１のエンティティ及び第２のエンティティの間で交渉され得る属性に対応する、ステップと、
各々の属性に関連する設定情報を送信及び受信するのに用いられる設定メッセージの組を提供するステップと、
第１のエンティティの通信状態を示すステートマシンを提供するステップと
を含む方法。
【請求項２０】
前記設定メッセージは、前記通信システムのセッション層で実施される請求項１９に記載の方法。
【請求項２１】
デフォルト層及びプロトコルの組は、設定可能属性の組の交渉及び設定をサポートするメッセージを送信及び受信するオーバーヘッドプロトコルを含む請求項１９に記載の方法。
【請求項２２】
前記ステートマシンは、
セッション交渉の前に不活性であることを示す不活性状態と、
属性の１あるいはそれ以上での交渉を示す初期状態と、
第１のエンティティ及び第２のエンティティの間の活性通信を示すオープン状態と
を有する請求項１９に記載の方法。
【請求項２３】
設定メッセージの各々は、第１のエンティティを識別するエンティティ識別子を有する請求項１９に記載の方法。
【請求項２４】
設定メッセージの各々は、設定メッセージの特定のインスタンスを識別するトランザクション識別子を有する請求項１９に記載の方法。
【請求項２５】
前記請求項１９に記載の方法を実施するために設定されたスペクトラム拡散通信システムにおけるアクセス端末。
【請求項２６】
スペクトラム拡散通信システムにおけるアクセス端末であって、
データの受信及び処理を行うコントローラであって、前記コントローラは、データ送信をサポートするのに用いられる層及びプロトコルの組を実施するよう構成され、前記コントローラは、１あるいはそれ以上の層及び１あるいはそれ以上のプロトコルの組、あるいはそれらの組合せを、前記データ送信の前に交渉および設定するように構成され、前記設定は、アクセス端末及び無線ネットワークの間で交渉された属性に応じ、前記コントローラは、アクセス端末に（１）第１のメッセージを無線ネットワークに送信させ、前記第１のメッセージはアクセス端末に承認され得る前記属性の複数の値を含み、（２）無線メッセージからの第２のメッセージを受信させ、前記第２のメッセージは前記属性の前記複数の値の少なくともサブセットを含み、前記サブセットはアクセス端末及び無線ネットワークに承認され得る前記属性の値を含み、（３）前記属性に、アクセス端末及び無線ネットワークに承認され得る値を割り当てさせ、前記割り当てられる値は前記サブセットから選択される、コントローラと、
前記コントローラに接続され、前記コントローラからの処理データをエンコードするエンコーダと、
前記エンコーダに接続され、前記エンコーダからのエンコードデータを変調する変調器と、
前記変調器に接続され、前記変調器からの変調データを伝送媒体を介して送信可能なアナログ信号に変換する送信機とを具備してなる
アクセス端末。
【請求項２７】
アクセス端末はさらに、
フォワードリンク信号を受信する受信機と、
前記受信機に接続され、前記受信されたフォワードリンク信号を復調する復調器と、
前記復調器に接続され、前記復調器からの前記復調された信号をデコードしてデコードデータを生成するデコーダとを具備してなり、
前記コントローラはさらに、前記デコーダに接続され、１あるいはそれ以上の設定可能層及びプロトコルを、少なくとも一部において、前記デコーダからの前記デコードデータに基づいて設定するように機能する
請求項２６に記載のアクセス端末。
【請求項２８】
前記受信機は、オープン要求メッセージを受信するようにさらに構成されており、
前記コントローラは、前記オープン要求メッセージにオープン応答メッセージで応答するようにさらに構成されている請求項２７記載のアクセス端末。
【請求項２９】
前記コントローラは、デフォルト層及びプロトコルの組を実施するようにさらに構成されている請求項１に記載のアクセス端末。
【請求項３０】
１あるいはそれ以上の設定可能層及び１あるいはそれ以上の設定可能プロトコルの組、あるいはそれらの組合せは、通信中に維持され、各設定可能層及びプロトコルは交渉され得る属性に対応している請求項２９記載のアクセス端末。
【請求項３１】
前記デフォルト層及びプロトコルの組は、第１のメッセージ及び第２のメッセージを送信及び受信するのに用いられる設定プロトコルを含む請求項３０に記載のアクセス端末。
【請求項３２】
第１のメッセージ及び第２のメッセージは、通信システムのセッション層で実施される請求項３１記載のアクセス端末。
【請求項３３】
第１及び第２のメッセージの各メッセージは、トランザクション識別子を有する請求項３２に記載のアクセス端末。
【請求項３４】
属性は専用チャネルで交渉される請求項２６に記載のアクセス端末。
【請求項３５】
スペクトル拡散通信システムにおけるアクセス端末であって、前記アクセス端末は、
データを受信及び処理する手段と、
前記処理データをエンコードする手段と、
前記エンコードデータを変調する手段と、
前記変調データを伝送媒体を介して送信可能なアナログ信号に変換する手段と、
アクセス端末及び無線ネットワークの間のデータの送信をサポートするのに用いられる層及びプロトコルの組を交渉及び設定する手段とを具備し、１あるいはそれ以上の層及び１あるいはそれ以上のプロトコル、あるいはそれらの組合せは、前記データの送信の前に設定可能であり、前記設定は、アクセス端末及びネットワークの間のメッセージの交換によって交渉された属性に応じ、前記交渉及び設定する手段は、（１）第１のメッセージをアクセス端末から無線ネットワークに送信し、前記第１のメッセージはアクセス端末に承認され得る前記属性の複数の値を含み、（２）無線ネットワークからアクセス端末への第２のメッセージを受信し、前記第２のメッセージは前記属性の前記複数の値の少なくともサブセットを含み、前記サブセットはアクセス端末及び無線ネットワークに承認され得る前記属性の値を含み、（３）前記属性に、アクセス端末及び無線ネットワークに承認され得る値を割り当てて、前記割り当てられる値は前記サブセットから選択されるように構成されている
アクセス端末。
【請求項３６】
アクセス端末はさらに、
フォワードリンク信号を受信する手段と、
前記受信されたフォワードリンク信号を復調する手段と、
前記復調された信号をデコードしてデコードデータを生成する手段とを具備してなり、
前記交渉及び設定する手段は、
１あるいはそれ以上の設定可能層及びプロトコルを、少なくとも一部において、前記デコードデータに基づいて設定する手段を具備する
請求項３５に記載のアクセス端末。
【請求項３７】
アクセス端末及び無線ネットワークの間で通信する方法であって、前記方法は、
データを受信及び処理するステップと、
前記処理データをエンコードするステップと、
前記エンコードデータを変調するステップと、
前記変調データを伝送媒体を介して送信可能なアナログ信号に変換するステップと、
アクセス端末及び無線ネットワークの間のデータの送信をサポートするのに用いられる層及びプロトコルの組を交渉及び設定するステップとを含み、１あるいはそれ以上の層及び１あるいはそれ以上のプロトコル、あるいはそれらの組合せは、前記データの送信の前に設定可能であり、前記設定は、アクセス端末及び無線ネットワークの間で交渉された属性に応じ、前記交渉及び設定するステップは、（１）第１のメッセージを第１の通信装置から第２の通信装置に送信するステップを含み、前記第１及び前記第２の通信装置は、アクセス端末及び無線ネットワークからなるグループから選択され、前記第１のメッセージは前記第１の通信装置に承認され得る前記属性の複数の値を含み、さらに（２）前記第２の通信装置からの第２のメッセージを前記第１の通信装置で受信するステップを含み、前記第２のメッセージは前記属性の前記複数の値の少なくともサブセットを含み、前記サブセットは前記第１の通信装置及び前記第２の通信装置に承認され得る前記属性の値を含み、さらに（３）前記第１の通信装置において、前記属性に、前記第１の通信装置及び前記第２の通信装置に承認され得る値を割り当てるステップを含み、前記割り当てられる値は前記サブセットから選択される
方法。
【請求項３８】
前記方法は、
フォワードリンク信号を受信するステップと、
前記受信されたフォワードリンク信号を復調するステップと、
前記復調された信号をデコードしてデコードデータを生成するステップとをさらに含み、
前記交渉及び設定するステップは、
１あるいはそれ以上の設定可能層及びプロトコルを、少なくとも一部において、前記デコードデータに基づいて設定するステップを含む
請求項３７に記載の方法。
【請求項３９】
前記属性は専用チャネルで交渉される請求項３７に記載の方法。
【請求項４０】
前記属性は、大気インタフェースの層に対応する請求項３７記載の方法。
【請求項４１】
第１のエンティティによるデータ通信の開始の前に層あるいはプロトコルを設定する装置であって、
第１のエンティティで、交渉すべき１あるいはそれ以上の層と１あるいはそれ以上のプロトコルとの組を選択する手段であって、ここで各々の選択層及びプロトコルが、第１のエンティティ及び第２のエンティティの間の交渉されるべき属性に対応する、手段と、
各々の属性に対して、第１のエンティティに対して承認され得ると考えられる１あるいはそれ以上の属性値を含む選択属性値のリストを決定する手段と、
選択属性のリストとその関連づけられた選択属性値のリストとを第１のエンティティから送信する手段と、
処理属性のリストとその関連づけられた処理属性値のリストとを第１のエンティティで受信する手段であって、ここで処理属性値のリストの各々は第２のエンティティに対して承認可能と考えられる１あるいはそれ以上の属性値を有する、手段と、
受信された処理属性のリスト及びその関連づけられた処理属性値のリストに従って、第１のエンティティにおける１あるいはそれ以上の層及び１あるいはそれ以上のプロトコルの選択された組を設定する手段と
を具備する装置。
【請求項４２】
選択属性値の各々のリストにおける要素は第１のエンティティの嗜好に基づいて順に設定されてなる請求項４１に記載の装置。
【請求項４３】
各々の処理属性値は１の処理属性値に関連づけられる請求項４１に記載の装置。
【請求項４４】
第１のエンティティにおける前記層及びプロトコルは、対応する処理属性値が第１のエンティティで受信されない場合に、そのデフォルト値とともに設定される請求項４１に記載の装置。
【請求項４５】
前記送信及び受信は専用通信チャネルを介して実行される請求項４１に記載の装置。
【請求項４６】
第１のエンティティあるいは第２のエンティティ、あるいはその双方は、
セッション交渉の前に不活性であることを示す不活性状態と、
選択属性のリストでのセッション交渉を示す初期状態と、
第１のエンティティ及び第２のエンティティの間の活性通信を示すオープン状態と
を含む複数の状態を有するステートマシンを実施する請求項４１に記載の装置。
【請求項４７】
前記初期状態は、
第１のエンティティにより選択された属性でのセッション交渉を示すアクセス端末初期状態と、
第２のエンティティにより選択された属性でのセッション交渉を示す無線ネットワーク初期状態と
を有する請求項４６に記載の装置。
【請求項４８】
前記選択属性のリスト及びその関連づけられた選択属性値のリストは、第１のエンティティから１あるいはそれ以上の設定要求メッセージを介して送信される請求項４１に記載の装置。
【請求項４９】
前記処理属性値及びその関連づけられた処理属性値のリストの組は、第１のエンティティで１あるいはそれ以上の設定応答メッセージを介して受信される請求項４１に記載の装置。
【請求項５０】
前記処理属性値及びその関連づけられた処理属性値のリストは、前記選択属性及びその関連づけられた選択属性値のリストの順序に対応する順序で受信される請求項４１に記載の装置。
【請求項５１】
第１のエンティティ及び第２のエンティティの間の通信は、第１のエンティティにおける１あるいはそれ以上の層及び１あるいはそれ以上のプロトコルの選択された組の設定の完了の前に、デフォルト層及びプロトコルを介して発生する請求項４１に記載の装置。
【請求項５２】
前記装置は、
第１のエンティティでエンティティ識別子を受信する手段をさらに具備し、
第１のエンティティから送信される二次メッセージは、前記エンティティ識別子により識別される請求項４１に記載の装置。
【請求項５３】
第１のエンティティ及び第２のエンティティはそれぞれ交渉されるべき属性の組を選択し、第１のエンティティにより選択された属性の組の交渉は、第２のエンティティにより選択された属性の組の交渉の前に完了する請求項４１に記載の装置。
【請求項５４】
第１のエンティティはアクセス端末である請求項４１に記載の装置。
【請求項５５】
第２のエンティティは無線ネットワークである請求項４１に記載の装置。
【請求項５６】
第１のエンティティから、通信セッションをオープンする要求を示すオープン要求メッセージを送信する手段と、
第１のエンティティで、前記通信セッションをオープンする要求の承認あるいは拒絶を示すオープン応答メッセージを受信する手段と
をさらに具備する請求項４１に記載の装置。
【請求項５７】
前記オープン要求メッセージ及びオープン応答メッセージは、共通通信チャネルを介して送信及び受信される請求項５６に記載の装置。
【請求項５８】
通信システムで設定可能層あるいはプロトコル、あるいはそれらの双方を提供する装置であって、
第２のエンティティと通信するために第１のエンティティで利用されるデフォルト層及びプロトコルの組を維持する手段と、
１あるいはそれ以上の設定可能層及び１あるいはそれ以上の設定可能プロトコルの組、あるいはそれらの組合せを維持する手段であって、ここで各々の設定可能層及びプロトコルは、第１のエンティティ及び第２のエンティティの間で交渉され得る属性に対応する、手段と、
各々の属性に関連する設定情報を送信及び受信するのに用いられる設定メッセージの組を提供する手段と、
第１のエンティティの通信状態を示すステートマシンを提供する手段と
を具備する装置。
【請求項５９】
前記設定メッセージは、前記通信システムのセッション層で実施される請求項５８に記載の装置。
【請求項６０】
デフォルト層及びプロトコルの組は、設定可能属性の組の交渉及び設定をサポートするメッセージを送信及び受信するオーバーヘッドプロトコルを含む請求項５８に記載の装置。
【請求項６１】
前記ステートマシンは、
セッション交渉の前に不活性であることを示す不活性状態と、
属性の１あるいはそれ以上での交渉を示す初期状態と、
第１のエンティティ及び第２のエンティティの間の活性通信を示すオープン状態と
を有する請求項５８に記載の装置。
【請求項６２】
設定メッセージの各々は、第１のエンティティを識別するエンティティ識別子を有する請求項５８に記載の装置。
【請求項６３】
設定メッセージの各々は、設定メッセージの特定のインスタンスを識別するトランザクション識別子を有する請求項５８に記載の装置。